(57)【要約】【課題】  メールの送信前に文章と画像との組み合わせを確認することができるデータ通信装置、データ通信方法、データ通信プログラム、及びデータ通信プログラムを記録した記録媒体を提供する。【解決手段】  制御部１がメールの送信前に文章と画像とを組み合わせた合成画像を表示部２に表示することができるので、ユーザは、表示部２の表示を見るによりメールの送信前に文章と画像との組み合わせを確認することができる。また、メールの背景に画像を設定することで、ユーザにメールでのメッセージ送信における新たな表現方法を提供することができる。【選択図】  図１
2005234816.tif 000002
【特許請求の範囲】
【請求項１】
メールの文章を入力する手段と、
画像のデータを記録する記録手段と、
前記文章を表示する表示手段と、
前記文章の入力時に、予め記録した画像を前記記録手段から読み出して背景画面として設定すると共に、前記文章と前記画像との合成画面を前記表示手段に表示させた後で前記メールの送信が可能となるように制御する制御手段とを備えたことを特徴とするデータ通信装置。
【請求項２】
メールの文章入力時に、予め記録した画像を読み出して背景画面として設定し、前記文章と前記画像との合成画面を表示した後で前記メールの送信を可能とすることを特徴とするデータ通信方法。
【請求項３】
前記文章及び前記画像の表示位置や大きさを変化させることを特徴とする請求項２記載のデータ通信方法。
【請求項４】
メールの文章入力時に、制御手段に、予め記録した画像を読み出して背景画面として設定する手順Ａ、前記文章と前記画像との合成画面を表示する手順Ｂ、及び該合成画面表示後に前記メールの送信を可能とする手順Ｃを実行させることを特徴とするデータ通信プログラム。
【請求項５】
前記文章及び前記画像の表示位置や大きさを変化させることを特徴とする請求項４記載のデータ通信プログラム。
【請求項６】
メールの文章入力時に、制御手段に、予め記録した画像を読み出して背景画面として設定する手順Ａ、前記文章と前記画像との合成画面を表示する手順Ｂ、及び該合成画面表示後に前記メールの送信を可能とする手順Ｃを実行させることを特徴とするデータ通信プログラムを記録した記録媒体。
【請求項７】
前記文章及び前記画像の表示位置や大きさを変化させることを特徴とする請求項６記載のデータ通信プログラムを記録した記録媒体。
【発明の詳細な説明】
【技術分野】
【０００１】
本発明は、データ通信装置、データ通信方法、データ通信プログラム、及びデータ通信プログラムを記録した記録媒体に関する。
【背景技術】
【０００２】
近年、携帯電話機、ＰＨＳ、ＰＤＡ等の携帯端末に、インターネット機能やカメラ機能が搭載されていることが多くなり、ユーザは、それらの機能を使用し、携帯端末に画像情報を保存することが多くなった。
また、それらの携帯端末の多くは、その画像情報をメールに添付し、送信することを可能としている。
そして、受信側ユーザでは、メールの文章と添付された画像とを閲覧できるようになっている（例えば、特許文献１、２参照）。
【特許文献１】特開２００２−１４０２６５号公報
【特許文献２】特開２００２−２８８０８２号公報
【発明の開示】
【発明が解決しようとする課題】
【０００３】
ところで、上述した従来技術では、メールの受信時に、メールの文章の背景に画像を表示する機能は有するものの、送信前にメールの文章の背景に画像を表示する機能はなかった。このため、メールの送信相手に誤った画像と文章とを組み合わせて送信するおそれがあった。
そこで、本発明は、メールの送信前に文章と画像との組み合わせを確認することができるデータ通信装置、データ通信方法、データ通信プログラム、及びデータ通信プログラムを記録した記録媒体を提供することにある。
【課題を解決するための手段】
【０００４】
上記課題を解決するために、請求項１記載の発明は、メールの文章を入力する手段と、
画像のデータを記録する記録手段と、前記文章を表示する表示手段と、前記文章の入力時に、予め記録した画像を前記記録手段から読み出して背景画面として設定すると共に、前記文章と前記画像との合成画面を前記表示手段に表示させた後で前記メールの送信が可能となるように制御する制御手段とを備えたことを特徴とする。
【０００５】
請求項１記載の発明によれば、制御手段がメールの送信前に文章と画像とを組み合わせた合成画像を表示手段に表示することができるので、ユーザは、表示手段の表示を見ることによりメールの送信前に文章と画像との組み合わせを確認することができる。また、本発明によれば、メールの背景に画像を設定することで、ユーザにメールでのメッセージ送信における新たな表現方法を提供することができる。
【０００６】
請求項２記載の発明は、メールの文章入力時に、予め記録した画像を読み出して背景画面として設定し、前記文章と前記画像との合成画面を表示した後で前記メールの送信を可能とすることを特徴とする。
【０００７】
請求項３記載の発明は、請求項２記載の発明において、前記文章及び前記画像の表示位置や大きさを変化させることを特徴とする。
【０００８】
請求項４記載の発明は、メールの文章入力時に、制御手段に、予め記録した画像を読み出して背景画面として設定する手順Ａ、前記文章と前記画像との合成画面を表示する手順Ｂ、及び該合成画面表示後に前記メールの送信を可能とする手順Ｃを実行させることを特徴とする。
【０００９】
請求項５記載の発明は、請求項４記載の発明において、前記文章及び前記画像の表示位置や大きさを変化させることを特徴とする。
【００１０】
請求項６記載の発明は、メールの文章入力時に、制御手段に、予め記録した画像を読み出して背景画面として設定する手順Ａ、前記文章と前記画像との合成画面を表示する手順Ｂ、及び該合成画面表示後に前記メールの送信を可能とする手順Ｃを実行させることを特徴とする。
【００１１】
請求項７記載の発明は、請求項６記載の発明において、前記文章及び前記画像の表示位置や大きさを変化させることを特徴とする。
【発明の効果】
【００１２】
制御手段がメールの送信前に文章と画像とを組み合わせた合成画像を表示手段に表示することができるので、ユーザは、表示手段の表示を見ることによりメールの送信前に文章と画像との組み合わせを確認することができる。この結果、メールの送信前に文章と画像との組み合わせを確認することができるデータ通信装置、データ通信方法、データ通信プログラム、及びデータ通信プログラムを記録した記録媒体の提供を実現することができる。
【発明を実施するための最良の形態】
【００１３】
本発明は、携帯端末（特に携帯電話機やＰＨＳ（Personal Handy phone System）、ＰＤＡ（Personal Digital Assistance）等）でメール作成時に、携帯端末内に保存されている撮影画像を背景として設定し、メールの文章と画像との合成状態をユーザが確認した後でメール送信を可能とするようにしたものである。また、本発明は、携帯端末自体がメールの文章と画像との合成を行うので、ファイルサーバー等の設備を変更することなく、上記機能の実現が可能である。
【００１４】
以下、本発明を図面を参照して説明する。
図１は本発明のデータ通信方法を適用したデータ通信装置としての携帯端末の一実施の形態を示すブロック図である。
本携帯端末は、メール送受信機能を備えた携帯電話機やＰＨＳ、ＰＤＡ等の携帯情報端末であり、制御手段としての制御部１、表示手段としての表示部２、入力部３、通信部４、及び記録手段としての記憶部５で構成されている。
表示部２、入力部３、通信部４、及び記憶部５は、それぞれ制御部１とアドレスバスで接続されている。
制御部１は、ＣＰＵ等の制御装置であり、プログラムによりその動作が制御される。
表示部２は、メール作成画面、画像選択画面等を表示するＬＣＤ等の表示装置である。
入力部３は、ユーザがメール背景画像貼付設定、メール作成等の操作を行うためのキーやポインティングデバイスである。
通信部４は、無線回線を介して、メールの送受信等の通信を行う無線通信インターフェース装置である。
記憶部５は、読み出し、書き込み可能な記憶装置であり、メール情報、画像情報等のデータを記憶するものである。
【００１５】
（実施の形態の動作の説明）
次に図２、図３、及び図４を参照して本発明の携帯端末での添付画像をメール背景に設定、表示する方法及びデータ通信プログラムについて説明する。
図２は、添付画像をメール背景に設定し、メール送信するまでの動作について説明するための説明図である。図３は本発明のデータ通信方法を適用した送信処理の一実施の形態を示すフローチャートである。図４は本発明のデータ通信方法を適用した受信処理の一実施の形態を示すフローチャートである。
【００１６】
図１において、図示しないユーザからメール作成起動の指示が入力部３からなされると、制御部１はメール作成画面を起動して表示部２に表示させ（図３：ステップA01）、メール宛先、題名、本文作成動作がなされているか否かを判定し（図３：ステップA02）、メール作成画面において、ユーザから、メール本文等の編集があった場合（図３：ステップA02／YES）、編集された本文等２１（図２参照）を表示する（図３：ステップA03）。
【００１７】
制御部１は、ユーザがメニューから「背景画像添付」選択動作されたか否かを判定し（図３：ステップA04）、ユーザがメニュー２２（図２参照）から、「背景画像添付」を選択したと判定した場合（図３：ステップA04／YES）、記憶部５の画像データのリストである背景画像選択画面２３を表示する（図３：ステップA05）。
背景画像選択画面２３が表示された後、制御部１がユーザにより背景画像選択動作されたか否かを判定し（ステップA06）、ユーザにより画像が選択されたと判定した場合（ステップA06／YES）、その選択された画像をメールに添付処理をし（図３：ステップA07）、メール本文末に、添付画像が背景画像であることを識別する文字列”<backgroundimg=ON>”を挿入する（図３：ステップA08）。また、この文字列は、表示部２で表示は行わず、ユーザには見えないようにする。そして、選択した画像を、メールの背景として文字情報と共に図２の２４のように表示させる（図３：ステップA09）。
その後、制御部１はユーザからメール送信指示があったか否かを判定し（図３：ステップA10）、メール情報と添付画像とについて通信部4が送信処理を行う（図３：ステップA11）。
【００１８】
次に、添付画像をメール背景に設定されたメールを受信し、ユーザに閲覧されるまでの動作について説明する。
携帯端末がメール受信を行うと、制御部１は記憶部５にメール情報を記憶させる（図４：ステップB01）。
制御部１は、ユーザからの指示によりメール閲覧動作したか否かを判定し（図４：ステップB02）、ユーザからメール閲覧指示があったと判定した場合（ステップB02／YES）、記憶部５（図１参照）にあるメール情報の本文の解析を行う（ステップB03）。
解析処理において、制御部１が本文中に文字列”<backgroundimg=ON>”があるか否かを判定し（図４：ステップB04）、メールに画像が添付されているか否かを判定する（図４：ステップB05）。
制御部１がメール本文中に文字列”<backgroundimg=ON>”があると判定し（図４：ステップB04／YES）、かつメールに画像が添付されていると判定した場合（図４：ステップB05／YES）、記憶部５（図１参照）にある添付画像をメール背景に設定する（図４：ステップB06）。
そして、表示部２（図１参照）の背景に、添付された画像、メール本文等のメール情報をその上に図２の２４のように重ね合わせて表示させる（図４：ステップB07）。このとき、文字列”<backgroundimg=ON>”は表示部２には表示されない。
【００１９】
以上において、本発明によれば、制御手段がメールの送信前に文章と画像とを組み合わせた合成画像を表示手段に表示することができるので、ユーザは、表示手段によりメールの送信前に文章と画像との組み合わせを確認することができる。この結果、ユーザは、メールの送信前に文章と画像とを組み合わせた画面を確認することができる。また、ファイルサーバー等の設備を変更することなく、上記の機能を実現することが可能である。
尚、本実施の形態では、データ通信方法を適用したデータ通信装置としての携帯端末の場合で説明したが、本発明はこれに限定されるものではなく、データ通信プログラムやデータ通信プログラムを記録した記録媒体に適用してもよい。記録媒体としては、ＨＤＤ（ハードディスクドライバ）、半導体メモリ等が挙げられる。
【図面の簡単な説明】
【００２０】
【図１】本発明のデータ通信方法を適用したデータ通信装置としての携帯端末の一実施の形態を示すブロック図である。
【図２】添付画像をメール背景に設定し、メール送信するまでの動作について説明するための説明図である。
【図３】本発明のデータ通信方法を適用した送信処理の一実施の形態を示すフローチャートである。
【図４】本発明のデータ通信方法を適用した受信処理の一実施の形態を示すフローチャートである。
【符号の説明】
【００２１】
１    制御部
２    表示部
３    入力部
４    通信部
５    記憶部
【図１】
2005234816.tif 000003
【図２】
2005234816.tif 000004
【図３】
2005234816.tif 000005
【図４】
2005234816.tif 000006